(57)【要約】【課題】別途の外部測定器を設けたり，相手先と交信したりしなくとも，ファクシミリの外部通信環境の異常や，ファクシミリ自体の異常の有無を，自ら診断することができるファクシミリの自己診断方法を提供すること。【解決手段】モデムと，モデムと外部のラインとを接続するラインインターフェース部とを有するファクシミリの自己診断方法において：（ａ）外部から与えられる発信音を検出したか否かに基づいて，外部とファクシミリとの交信経路の異常の有無を決定する段階１０と；（ｂ）モデムが自ら送出した診断用トーン信号を正常に受信したか否かに基づいて，モデムの異常の有無を決定する段階１２と；のうち少なくともいずれかの段階を含むことを特徴とする，ファクシミリの自己診断方法が提供される。【選択図】　図１
2004015811.tif 000002
【特許請求の範囲】
【請求項１】
モデムと，前記モデムと外部のラインとを接続するラインインターフェース部とを有するファクシミリの自己診断方法において：
（ａ）外部から与えられる発信音を検出したか否かに基づいて，外部と前記ファクシミリとの交信経路の異常の有無を決定する段階と；
（ｂ）前記モデムが自ら送出した診断用トーン信号を正常に受信したか否かに基づいて，前記モデムの異常の有無を決定する段階と；
のうち少なくともいずれかの段階を含むことを特徴とする，ファクシミリの自己診断方法。
【請求項２】
前記（ａ）段階は，
（ａ１）前記発信音を検出する準備をする段階と；
（ａ２）前記発信音が検出されたか否かを判断する段階と；
（ａ３）前記発信音が検出されなかったと判断した場合には，前記交信経路に異常があると決定する段階と；
を含むことを特徴とする，請求項１に記載のファクシミリの自己診断方法。
【請求項３】
前記（ａ）段階は，さらに
（ａ４）前記発信音が検出されたと判断した場合には，前記交信経路に異常がないと決定する段階；
を含むことを特徴とする，請求項２に記載のファクシミリの自己診断方法。
【請求項４】
前記（ａ）段階は，さらに，
前記（ａ３）段階後に，前記交信経路に異常があることを通知する段階；
を含むことを特徴とする，請求項２または３のいずれかに記載のファクシミリの自己診断方法。
【請求項５】
前記（ａ）段階は，さらに，
前記（ａ４）段階後に，前記交信経路に異常がないことを通知する段階；
を含むことを特徴とする，請求項３または４のいずれかに記載のファクシミリの自己診断方法。
【請求項６】
前記（ｂ）段階は，
（ｂ１）前記モデムの送信端子を通じて前記診断用トーン信号を送出する段階と；
（ｂ２）前記送出された診断用トーン信号を前記モデムの受信端子に帰還させる帰還経路を形成する段階と；
（ｂ３）前記送出された診断用トーン信号の周波数と，前記受信端子によって受信された前記診断用トーン信号の周波数とが，略同一であるか否かを判断する段階と；
（ｂ６）前記モデムに異常があると決定する段階と；
（ｂ７）前記モデムに異常がないと決定する段階と；
を含み：
前記（ｂ３）段階において，前記送出された診断用トーン信号の周波数と，前記受信された診断用トーン信号の周波数とが，略同一でないと判断された場合には，前記（ｂ６）段階に進み；
前記（ｂ３）段階において，前記送出された診断用トーン信号の周波数と，前記受信された診断用トーン信号の周波数とが，略同一であると判断された場合には，前記（ｂ７）段階に進むことを特徴とする，請求項１，２，３，４または５のいずれかに記載のファクシミリの自己診断方法。
【請求項７】
前記（ｂ）段階は，さらに，
（ｂ４）前記受信された診断用トーン信号のレベルが所定レベル以上であるか否かを判断する段階；
を含み：
前記（ｂ４）段階において，前記受信された診断用トーン信号のレベルが前記所定レベル未満であると判断された場合には，前記（ｂ６）段階に進み；
前記（ｂ３）段階において，前記送出された診断用トーン信号の周波数と前記受信された診断用トーン信号の周波数とが略同一であると判断され，かつ，前記（ｂ４）段階において，前記受信された診断用トーン信号のレベルが所定レベル以上であると判断された場合には，前記（ｂ７）段階に進むことを特徴とする，請求項６に記載のファクシミリの自己診断方法。
【請求項８】
前記モデムは，
前記ラインインターフェース部を介して入力されたデータを貯蔵するとともに，前記貯蔵したデータを前記ラインインターフェース部に出力するメモリレジスターを有しており：
前記（ｂ）段階は，さらに，
（ｂ５）前記メモリレジスターに異常があるか否かを判断する段階
を含み：
前記（ｂ５）段階において，前記メモリレジスターに異常があると判断した場合には，前記（ｂ６）段階に進み；
前記（ｂ３）段階において，前記送出された診断用トーン信号の周波数と前記受信された診断用トーン信号の周波数とが略同一であると判断され，かつ，前記（ｂ４）段階において，前記受信された診断用トーン信号のレベルが所定レベル以上であると判断され，かつ，前記（ｂ５）段階において，前記メモリレジスターに異常がないと判断された場合には，前記（ｂ７）段階に進むことを特徴とする，請求項７に記載のファクシミリの自己診断方法。
【請求項９】
前記（ｂ）段階は，
（ｂ１）前記モデムの送信端子を通じて前記診断用トーン信号を送出する段階と；
（ｂ２）前記送出された診断用トーン信号を前記モデムの受信端子に帰還させる帰還経路を形成する段階と；
（ｂ４）前記受信端子によって受信された前記診断用トーン信号のレベルが，所定レベル以上であるか否かを判断する段階と；
（ｂ６）前記モデムに異常があると決定する段階と；
（ｂ７）前記モデムに異常がないと決定する段階と；
を含み：
前記（ｂ４）段階において，前記受信された診断用トーン信号のレベルが，所定レベル未満であると判断された場合には，前記（ｂ６）段階に進み；
前記（ｂ４）段階において，前記受信された診断用トーン信号のレベルが，所定レベル異常であると判断された場合には，前記（ｂ７）段階に進むことを特徴とする，請求項１，２，３，４または５のいずれかに記載のファクシミリの自己診断方法。
【請求項１０】
前記モデムは，
前記ラインインターフェース部を介して入力されたデータを貯蔵するとともに，前記貯蔵したデータを前記ラインインターフェース部に出力するメモリレジスターを有しており：
前記（ｂ）段階は，
（ｂ１）前記モデムの送信端子を通じて前記診断用トーン信号を送出する段階と；
（ｂ２）前記送出された診断用トーン信号を前記モデムの受信端子に帰還させる帰還経路を形成する段階と；
（ｂ５）前記メモリレジスターに異常があるか否かを判断する段階と；
（ｂ６）前記モデムに異常があると決定する段階と；
（ｂ７）前記モデムに異常がないと決定する段階と；
を含み：
前記（ｂ５）段階において，前記メモリレジスターに異常があると判断された場合には，前記（ｂ６）段階に進み；
前記（ｂ５）段階において，前記メモリレジスターに異常がないと判断された場合には，前記（ｂ７）段階に進むことを特徴とする，請求項１，２，３，４または５のいずれかに記載のファクシミリの自己診断方法。
【請求項１１】
前記（ｂ）段階は，さらに，
前記（ｂ６）段階後に，前記モデムに異常があることを通知する段階；
を含むことを特徴とする，請求項６，７，８，９または１０のいずれかに記載のファクシミリの自己診断方法。
【請求項１２】
前記（ｂ）段階は，さらに，
前記（ｂ７）段階後に，前記モデムに異常がないことを通知する段階；
を含むことを特徴とする，請求項６，７，８，９，１０または１１のいずれかに記載のファクシミリの自己診断方法。
【請求項１３】
モデムと，前記モデムと外部のラインとを接続するラインインターフェース部とを有するファクシミリにおいて：
外部から与えられる発信音を検出し，検出結果を出力する発信音検出部と；
前記検出結果に基づいて，外部と前記ファクシミリとの交信経路の異常の有無を決定する第１異常有無決定部と；
を具備することを特徴とする，ファクシミリ。
【請求項１４】
前記ファクシミリは，さらに，
前記第１異常有無決定部による決定結果に応じて，前記交信経路の異常有無を通知する通知部；
を具備することを特徴とする，請求項１３に記載のファクシミリ。
【請求項１５】
前記発信音検出部及び前記第１異常有無決定部は前記モデムに含まれることを特徴とする，請求項１３または１４のいずれかに記載のファクシミリ。
【請求項１６】
モデムと，前記モデムと外部のラインとを接続するラインインターフェース部とを有するファクシミリにおいて：
診断用トーン信号を自ら発生させて送出するトーン信号発生部と；
前記診断用トーン信号を受信するトーン信号受信部と；
前記受信された診断用トーン信号および前記送出された診断用トーン信号に基づいて，前記モデムの異常有無を決定する第２異常有無決定部と；
を具備することを特徴とする，ファクシミリ。
【請求項１７】
前記ファクシミリは，さらに，
前記第２異常有無決定部による決定結果に応じて，前記モデムの異常有無を通知する通知部；
を具備することを特徴とする，請求項１６に記載のファクシミリ。
【請求項１８】
前記第２異常有無決定部は，さらに，
前記送出された診断用トーン信号の周波数と，前記受信された診断用トーン信号の周波数とを比較し，比較結果を第１制御信号として出力する第１比較部と；少なくとも前記第１制御信号に基づいて，前記モデムの異常有無を決定する異常有無決定器と；
を具備することを特徴とする，請求項１６または１７のいずれかに記載のファクシミリ。
【請求項１９】
前記第２異常有無決定部は，さらに，
前記第１制御信号に基づいて，前記受信された診断用トーン信号のレベルと，所定レベルとを比較し，比較結果を第２制御信号として出力する第２比較部；
を具備し，
前記異常有無決定器は，前記第２制御信号に基づいて，前記モデムの異常有無を決定することを特徴とする，請求項１８に記載のファクシミリ。
【請求項２０】
前記モデムは，
前記ラインインターフェース部を介して入力されたデータを貯蔵するとともに，前記貯蔵したデータを前記ラインインターフェース部に出力するメモリレジスターを有しており：
前記ファクシミリは，さらに，
前記第１制御信号に基づいて，前記モデムの前記メモリレジスターに異常があるか否かを検出するメモリレジスター検査部；
を具備し，
前記異常有無決定器は，前記メモリレジスター検査部の検出結果に基づいて，前記モデムの異常有無を決定することを特徴とする，請求項１９に記載のファクシミリ。
【請求項２１】
前記トーン信号発生部，前記トーン信号受信部及び前記第２異常有無決定部は，前記モデムに含まれることを特徴とする，請求項１６，１７，１８，１９または２０のいずれかに記載のファクシミリ。
【発明の詳細な説明】
【０００１】
【発明の属する技術分野】
本発明は，ファクシミリに係り，特に，ファクシミリの自己診断方法及びこの自己診断方法を行うファクシミリに関する。
【０００２】
【従来の技術】
一般的に，ファクシミリの不良（エラー）は，当該ファクシミリと相手先との間を接続する通信線路上の不良と，当該ファクシミリ自体の不良と，に大別される。従来のファクシミリ診断方法では，このような２種の不良が発生する場合には，相手側と別途に交信するか，別途設けた外部測定器によって不良を処理していた（特許文献１参照）。このため，相手との交信がない時や，別途の外部測定器が設けられていない時に，ファクシミリに不良が発生した場合には，その不良の原因が，線路上の不良であるか，あるいはファクシミリ自体の不良であるかを，即座に判断できなかった。従って，かかる従来のファクシミリ診断方法に依存する場合には，ファクシミリのアフターサービスをリアルタイムで提供できないという問題点があった。
【０００３】
【特許文献１】
特開平１０−３２７２６６号公報
【０００４】
【発明が解決しようとする課題】
本発明は，上記問題点に鑑みてなされたものであり，本発明の目的は，ファクシミリの外部通信環境の不良（または異常）及び／又はファクシミリ自体の異常の有無を，相手先と交信したり，別途の外部測定器を設けたりすることなく，自ら診断することが可能な，新規かつ改良されたファクシミリの自己診断方法を提供することにある。
【０００５】
また，本発明の別の目的は，上記自己診断方法を実行可能な，新規かつ改良されたファクシミリを提供することにある。
【０００６】
【課題を解決するための手段】
上記課題を解決するため，本発明の第１の観点によれば，モデムと，モデムと外部のラインとを接続するラインインターフェース部とを有するファクシミリの自己診断方法において：（ａ）外部から与えられる発信音を検出したか否かに基づいて，外部とファクシミリとの交信経路の異常の有無を決定する段階と；（ｂ）モデムが自ら送出した診断用トーン信号を正常に受信したか否かに基づいて，モデムの異常の有無を決定する段階と；のうち少なくともいずれかの段階を含むことを特徴とする，ファクシミリの自己診断方法が提供される。
【０００７】
また，上記（ａ）段階は，（ａ１）発信音を検出する準備をする段階と；（ａ２）発信音が検出されたか否かを判断する段階と；（ａ３）発信音が検出されなかったと判断した場合には，交信経路に異常があると決定する段階と；を含む，ようにしてもよい。
【０００８】
また，上記（ａ）段階は，さらに（ａ４）発信音が検出されたと判断した場合には，交信経路に異常がないと決定する段階；を含む，ようにしてもよい。
【０００９】
また，上記（ａ）段階は，さらに，（ａ３）段階後に，交信経路に異常があることを通知する段階；を含む，ようにしてもよい。
【００１０】
また，上記（ａ）段階は，さらに，（ａ４）段階後に，交信経路に異常がないことを通知する段階；を含む，ようにしてもよい。
【００１１】
また，上記（ｂ）段階は，（ｂ１）モデムの送信端子を通じて診断用トーン信号を送出する段階と；（ｂ２）送出された診断用トーン信号をモデムの受信端子に帰還させる帰還経路を形成する段階と；（ｂ３）送出された診断用トーン信号の周波数と，受信端子によって受信された診断用トーン信号の周波数とが，略同一であるか否かを判断する段階と；（ｂ６）モデムに異常があると決定する段階と；（ｂ７）モデムに異常がないと決定する段階と；を含み：（ｂ３）段階において，送出された診断用トーン信号の周波数と，受信された診断用トーン信号の周波数とが，略同一でないと判断された場合には，（ｂ６）段階に進み；（ｂ３）段階において，送出された診断用トーン信号の周波数と，受信された診断用トーン信号の周波数とが，略同一であると判断された場合には，（ｂ７）段階に進む，ようにしてもよい。
【００１２】
また，上記（ｂ）段階は，さらに，（ｂ４）受信された診断用トーン信号のレベルが所定レベル以上であるか否かを判断する段階；を含み：（ｂ４）段階において，受信された診断用トーン信号のレベルが所定レベル未満であると判断された場合には，（ｂ６）段階に進み；（ｂ３）段階において，送出された診断用トーン信号の周波数と受信された診断用トーン信号の周波数とが略同一であると判断され，かつ，（ｂ４）段階において，受信された診断用トーン信号のレベルが所定レベル以上であると判断された場合には，（ｂ７）段階に進む，ようにしてもよい。
【００１３】
また，上記モデムは，ラインインターフェース部を介して入力されたデータを貯蔵するとともに，貯蔵したデータをラインインターフェース部に出力するメモリレジスターを有しており：（ｂ）段階は，さらに，（ｂ５）メモリレジスターに異常があるか否かを判断する段階
を含み：（ｂ５）段階において，メモリレジスターに異常があると判断した場合には，（ｂ６）段階に進み；（ｂ３）段階において，送出された診断用トーン信号の周波数と受信された診断用トーン信号の周波数とが略同一であると判断され，かつ，（ｂ４）段階において，受信された診断用トーン信号のレベルが所定レベル以上であると判断され，かつ，（ｂ５）段階において，メモリレジスターに異常がないと判断された場合には，（ｂ７）段階に進む，ようにしてもよい。
【００１４】
また，上記（ｂ）段階は，（ｂ１）モデムの送信端子を通じて診断用トーン信号を送出する段階と；（ｂ２）送出された診断用トーン信号をモデムの受信端子に帰還させる帰還経路を形成する段階と；（ｂ４）受信端子によって受信された診断用トーン信号のレベルが，所定レベル以上であるか否かを判断する段階と；（ｂ６）モデムに異常があると決定する段階と；（ｂ７）モデムに異常がないと決定する段階と；を含み：（ｂ４）段階において，受信された診断用トーン信号のレベルが，所定レベル未満であると判断された場合には，（ｂ６）段階に進み；
（ｂ４）段階において，受信された診断用トーン信号のレベルが，所定レベル異常であると判断された場合には，（ｂ７）段階に進む，ようにしてもよい。
【００１５】
また，上記モデムは，ラインインターフェース部を介して入力されたデータを貯蔵するとともに，貯蔵したデータをラインインターフェース部に出力するメモリレジスターを有しており：（ｂ）段階は，（ｂ１）モデムの送信端子を通じて診断用トーン信号を送出する段階と；（ｂ２）送出された診断用トーン信号をモデムの受信端子に帰還させる帰還経路を形成する段階と；（ｂ５）メモリレジスターに異常があるか否かを判断する段階と；（ｂ６）モデムに異常があると決定する段階と；（ｂ７）モデムに異常がないと決定する段階と；を含み：（ｂ５）段階において，メモリレジスターに異常があると判断された場合には，（ｂ６）段階に進み；（ｂ５）段階において，メモリレジスターに異常がないと判断された場合には，（ｂ７）段階に進む，ようにしてもよい。
【００１６】
また，上記（ｂ）段階は，さらに，（ｂ６）段階後に，モデムに異常があることを通知する段階；を含む，ようにしてもよい。
【００１７】
また，上記（ｂ）段階は，さらに，（ｂ７）段階後に，モデムに異常がないことを通知する段階；を含む，ようにしてもよい。
【００１８】
また，上記課題を解決するため，本発明の別の観点によれば，モデムと，モデムと外部のラインとを接続するラインインターフェース部とを有するファクシミリにおいて：外部から与えられる発信音を検出し，検出結果を出力する発信音検出部と；検出結果に基づいて，外部とファクシミリとの交信経路の異常の有無を決定する第１異常有無決定部と；を具備することを特徴とする，ファクシミリ画提供される。
【００１９】
また，上記ファクシミリは，さらに，第１異常有無決定部による決定結果に応じて，交信経路の異常有無を通知する通知部；を具備する，ようにしてもよい。
【００２０】
また，上記発信音検出部及び第１異常有無決定部はモデムに含まれる，ようにしてもよい。
【００２１】
また，上記課題を解決するため，本発明の別の観点によれば，モデムと，モデムと外部のラインとを接続するラインインターフェース部とを有するファクシミリにおいて：診断用トーン信号を自ら発生させて送出するトーン信号発生部と；診断用トーン信号を受信するトーン信号受信部と；受信された診断用トーン信号および送出された診断用トーン信号に基づいて，モデムの異常有無を決定する第２異常有無決定部と；を具備することを特徴とする，ファクシミリが提供される。
【００２２】
また，上記ファクシミリは，さらに，第２異常有無決定部による決定結果に応じて，モデムの異常有無を通知する通知部；を具備する，ようにしてもよい。
【００２３】
また，上記第２異常有無決定部は，さらに，送出された診断用トーン信号の周波数と，受信された診断用トーン信号の周波数とを比較し，比較結果を第１制御信号として出力する第１比較部と；少なくとも第１制御信号に基づいて，モデムの異常有無を決定する異常有無決定器と；を具備する，ようにしてもよい。
【００２４】
また，上記第２異常有無決定部は，さらに，第１制御信号に基づいて，受信された診断用トーン信号のレベルと，所定レベルとを比較し，比較結果を第２制御信号として出力する第２比較部；を具備し，異常有無決定器は，第２制御信号に基づいて，モデムの異常有無を決定する，ようにしてもよい。
【００２５】
また，上記モデムは，ラインインターフェース部を介して入力されたデータを貯蔵するとともに，貯蔵したデータをラインインターフェース部に出力するメモリレジスターを有しており：ファクシミリは，さらに，第１制御信号に基づいて，モデムのメモリレジスターに異常があるか否かを検出するメモリレジスター検査部；を具備し，異常有無決定器は，メモリレジスター検査部の検出結果に基づいて，モデムの異常有無を決定する，ようにしてもよい。
【００２６】
また，上記トーン信号発生部，トーン信号受信部及び第２異常有無決定部は，モデムに含まれる，ようにしてもよい。
【００２７】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
（第１の実施形態）
以下に，本発明の第１の実施形態にかかるファクシミリの自己診断方法について説明する。
【００２９】
まず，図１に基づいて，本実施形態にかかるファクシミリの自己診断方法の概要を説明する。図１は，本実施形態にかかるファクシミリの自己診断方法を説明するためのフローチャートである。
【００３０】
本実施形態にかかるファクシミリの自己診断方法は，図１に示すように，例えば，交信経路の異常（エラー）の有無を決定する段階（第１０段階）と，モデムの異常（エラー）の有無を決定する段階（第１２段階）という，２つの段階のいずれか一方若しくは双方を含む。
【００３１】
このファクシミリの自己診断方法は，モデム（図示せず。）と，ラインインターフェース部（ＬＩＵ：Ｌｉｎｅ　Ｉｎｔｅｒｆａｃｅ　Ｕｎｉｔ，以下では「ＬＩＵ」という。）（図示せず。）と，を有するファクシミリ（図示せず。）によって実行される。このＬＩＵは，モデムと，ファクシミリ外部のラインと，を接続する機能を有する。
【００３２】
本実施形態にかかるファクシミリの自己診断方法では，まず，第１０段階において，外部から与えられる発信音（ｄｉａｌ　ｔｏｎｅ）を検出できたか否か（当該発信音の検出可否）に基づいて，交信経路の異常の有無を決定する（第１０段階）。
【００３３】
ここで，発信音は，例えば，ファクシミリ外部にある交換機（ネットワーク）（図示せず。）によって発生される。また，交信経路とは，例えば交換機からファクシミリまでのライン，そのラインとファクシミリとの接続，及びＬＩＵの内部に存在するライン，を総称するものである。
【００３４】
この第１０段階では，交換機で発生した発信音が検出されなかった場合には，交信経路に異常があると決定し，一方，交換機で発生した発信音が検出された場合には，交信経路に異常がないと決定する。
【００３５】
ここで，図２に基づいて，上記第１０段階についてより詳細に説明する。なお，図２は，図１に示した第１０段階の具体例を説明するためのフローチャートである。
【００３６】
本実施形態にかかるファクシミリの自己診断方法における第１０段階においては，図２に示すように，まず，交換機などで発生した発信音を検出する準備をする（第３０段階）。ファクシミリは，一般的に，外部の交換機と，自身のモデムまたは自身の電話機（図示せず。）とを選択的に接続するリレー（図示せず。）を有する。この第３０段階では，リレーは，外部の交換機とファクシミリのモデムとを互いに接続して，発信音を検出する準備をする。
【００３７】
次いで，第３０段階後に，交換機から発生した発信音が検出されたか否かを判断する（第３２段階）。発信音が検出されなかったと判断した場合には，第３４段階に進み，交信経路に異常があると決定する（第３４段階）。換言すると，発信音が検出されなかったと判断した場合には，交換機からファクシミリまでのライン，そのラインとファクシミリとの接続，またはＬＩＵの内部に存在するラインのいずれかに異常があると決定する。
【００３８】
さらに，第３４段階後に，交信経路に異常があることを通知する（第３６段階）。この３６段階では，例えば，液晶表示ディスプレイ（ＬＣＤ，図示せず。）などの表示手段に，例えば“ｃｈｅｃｋ　ｌｉｎｅ”　（「ラインをチェックせよ」）などのメッセージをディスプレイして，交信経路に異常があることを視覚的に表示することができる。これにより，ファクシミリと相手先との交信時に信号が伝送される線路が，現在不良状態であるということを，外部に警告できる。このように，交信経路に異常があるという警告を受けたユーザは，交信経路，すなわち，交換機とファクシミリ間のライン，そのラインとファクシミリ間の接続及びＬＩＵ内部のラインなどをチェックすることができる。
【００３９】
一方，第３２段階で発信音が検出されたと判断した場合には，第３８段階に進み，交信経路に異常がないと決定する（第３８段階）。
【００４０】
次いで，この第３８段階後の第４０段階において，交信経路に異常がないことを通知する（第４０段階）。この第４０段階での通知は，例えば，上記第３４段階の通知と同様な手法で，表示手段にメッセージ表示するなどしてユーザに通知してもよい。
【００４１】
なお，本発明にかかるファクシミリの自己診断方法では，例えば，図２に示した第１０段階は，第３６段階または第４０段階のうち少なくともいずれか一方の段階を含まないようにすることもできる。具体的には，例えば，更新経路に異常があった場合にのみ通知したり，或いは，更新経路に異常がなかった場合にのみ通知したり，するようにしてもよい。
【００４２】
次に，図１に示すように，第１０段階後の第１２段階では，ファクシミリが自主的に発生させた診断用トーン信号を正常に受信できたか否か（診断用トーン信号の受信可否）に基づいて，モデムの異常の有無を決定する（第１２段階）。
【００４３】
ここで，トーン信号は，例えば，１１００Ｈｚ若しくは２１００Ｈｚなどの単一トーンまたはマルチトーン信号などであってよい。ファクシミリは，例えば，モデムで発生したトーン信号を自身に帰還（フィードバック）させ，帰還されたトーン信号のレベル及び／又は周波数を利用して，モデムの異常有無を診断することができる。
【００４４】
ここで，図３に基づいて，上記第１２段階についてより詳細に説明する。なお，図３は，図１に示した第１２段階の具体例を説明するためのフローチャートである。
【００４５】
なお，本実施形態にかかるファクシミリの自己診断方法において，図３に示すような第１２段階は，例えば，以下に説明する第５４段階，第５６段階または第６２段階のうち少なくともいずれか一つの段階を含めばよく，また，これらの第５４段階，第５６段階及び第６２段階が行われる順序は，図３の例に限定されず，任意の順序であってもよい。
【００４６】
（第１実施例）
以下では，まず，本実施形態にかかる第１２段階の第１実施例として，例えば，第５４段階，第５６段階及び第６２段階の全てを含む実施例について説明する。
【００４７】
図３に示すように，上記第１２段階においては，まず，第５０段階で，モデムの異常をチェックするために，モデムの送信端子（図示せず。）を通じて，トーン信号を送出（送信，発信）する（第５０段階）。
【００４８】
次いで，第５０段階後の第５２段階では，送出されたトーン信号をモデムの受信端子（図示せず。）に帰還させるための帰還経路を形成する（第５２段階）。
【００４９】
さらに，この第５２段階後の第５４段階では，例えば，モデムの受信端子によって受信されたトーン信号のレベルが，所定レベル以上か否かを判断する（第５４段階）。この判断の基準となる所定レベルは，例えば−４３ｄＢｍとすることができる。この第５４段階で，モデムの受信端子によって受信されたトーン信号のレベルが，上記所定レベル以上であると判断された場合には，第５６段階に進む。一方，モデムの受信端子によって受信されたトーン信号のレベルが，上記所定レベル未満であると判断された場合には，第５８段階に進む。
【００５０】
次いで，第５６段階では，送出されたトーン信号の周波数と，当該受信されたトーン信号の周波数とが同一であるか否かを判断する（第５６段階）。この５６段階で，送出されたトーン信号の周波数と受信されたトーン信号の周波数とが同一であると判断された場合には，第６２段階に進み，一方，同一でないと判断された場合には，第５８段階に進む。
【００５１】
さらに，第６２段階では，モデムに内蔵されたインターフェースメモリレジスター（図示せず。）の状態に，異常があるか否かを判断する（第６２段階）。ここで，インターフェースメモリレジスターのセッティングとは，所定のオプション設定によるモデムの制御を意味しており，データのバッファリングを意味するのではない。換言すると，インターフェースメモリの特定領域レジスターに特定の値を書込んだ後に読出すことによって，インターフェースメモリの異常の有無を判定することができる。かかる第６２段階において，メモリレジスターに異常があると判断された場合には，第５８段階に進み，一方，メモリレジスターに異常がないと判断された場合には，第６４段階に進む。
【００５２】
以上のように，第６２段階において，メモリレジスターに異常があると判断された場合，第５４段階において，送出されたトーン信号の周波数が，受信されたトーン信号の周波数と同一でないと判断された場合，或いは，第５４段階において，受信端子によって受信されたトーン信号のレベルが所定レベルより低いと判断された場合には，第５８段階に進み，モデムに異常があると決定する（第５８段階）。ここで，受信されたトーン信号のレベルが所定レベルより低いと判断された場合には，モデムがトーン信号を認識できないために，モデムに異常があると決定することができる。
【００５３】
次いで，第５８段階後に第６０段階では，モデムに異常があるか否かを通知する（第６０段階）。この第６０段階では，例えば，液晶表示ディスプレイ（ＬＣＤ，図示せず。）などの表示手段に，例えば“ｃｈｅｃｋ　ｍｏｄｅｍ”（「モデムをチェックせよ」）などのメッセージをディスプレイして，モデムに異常があることを視覚的に表示することができる。これにより，ファクシミリ自体が現在不良状態であるということを，外部に警告できる。このように，モデムに異常があるという警告を受けたユーザは，モデムの内部などをチェックすることができる。
【００５４】
一方，第６２段階でメモリレジスターに異常がないと判断された場合には，第６４段階において，モデムに異常がないと決定する（第６４段階）。
【００５５】
次いで，この第６４段階後の第６６段階において，モデムに異常がないことを通知する（第６６段階）。この第６６段階での通知は，例えば，上記第６０段階の通知と同様な手法で，表示手段にメッセージ表示するなどしてユーザに通知してもよい。
【００５６】
以上，本実施形態にかかる第１２段階の第１実施例について説明した。この第１実施例は，第５４段階，第５６段階及び第６２段階の全てを，この順序で含むものであった。しかし上述したように，本実施形態にかかる第１２段階は，かかる例に限定されるものでない。例えば，上述した第１実施例で，図３に示した例とは異なり，例えば，第５６段階を第５４段階より先に行ってもよいし，第６２段階を第５６及び／又は第５４段階より先に行ってもよい。
【００５７】
（第２実施例）
次に，本実施形態にかかる第１２段階の第２の実施例について説明する。この第２の実施例にかかる第１２段階は，図３に示した上記第１実施例とは異なり，上記第５４及び第６２段階を含んでいないが，その他の段階は図３の例と略同一である。
【００５８】
より詳細には，この第２実施例にかかる第１２段階では，上記第５２段階後に第５６段階に進み，送出されたトーン信号の周波数と受信されたトーン信号の周波数とが同一か否かを判断する（第５６段階）。この第５６段階で，送出されたトーン信号の周波数と受信されたトーン信号の周波数とが同一であると判断された場合には，第６４段階に進み，モデムに異常がないと決定する（第６４段階）。一方，当該第５６段階で，送出されたトーン信号の周波数と受信されたトーン信号の周波数とが同一でないと判断された場合には，第５８段階に進み，モデムに異常があると決定する（第５８段階）。
【００５９】
（第３実施例）
次に，本実施形態にかかる第１２段階の第３の実施例について説明する。この第３の実施例にかかる第１２段階は，図３に示した上記第１実施例とは異なり，上記第６２段階を含んでいないが，その他の段階は図３の例と略同一である。
【００６０】
より詳細には，この第３実施例にかかる第１２段階では，第５４段階において，受信されたトーン信号のレベルが所定レベルより低いと判断された場合，或いは，第５６段階において，送出されたトーン信号の周波数と受信されたトーン信号の周波数とが同一でないと判断された場合には，第５８段階に進み，モデムに異常があると決定する（第５８段階）。一方，第５４段階において，受信されたトーン信号のレベルが所定レベルより同一または大きいと判断され，かつ，第５６段階において，送出されたトーン信号の周波数が受信されたトーン信号の周波数と同一であると判断された場合には，第６４段階に進み，モデムに異常がないと決定する（第６４段階）。
【００６１】
なお，この第３の実施例では，第５６段階を第５４段階より先に行ってもよい。すなわち，第５２段階後に第５６段階に進み，送出されたトーン信号の周波数と受信されたトーン信号の周波数とが同一か否かを判断する（第５６段階）。この第５６段階において，送出されたトーン信号の周波数と受信されたトーン信号の周波数とが同一であると判断された場合には，第５４段階に進み，受信端子に受信されたトーン信号のレベルが所定レベル以上か否かを判断する（第５４段階）。この第５４段階において，受信端子に受信されたトーン信号のレベルが所定レベル以上であると判断された場合には，第６４段階に進み，モデムに異常がないと決定する（第６４段階）。一方，第５４段階において，受信端子に受信されたトーン信号のレベルが所定レベル未満であると判断された場合には，第５８段階に進み，モデムに異常があると決定する（第５８段階）。
【００６２】
（第４実施例）
次に，本実施形態にかかる第１２段階の第４の実施例について説明する。この第４の実施例にかかる第１２段階は，図３に示した上記第１実施例とは異なり，上記第５６段階および第６２段階を含んでいないが，その他の段階は図３の例と略同一である。
【００６３】
より詳細には，この第４実施例にかかる第１２段階では，上記第５２段階後に第５４段階に進み，受信端子によって受信されたトーン信号のレベルが所定レベル以上であるか否かを判断する（第５４段階）。この第５４段階において，当該トーン信号のレベルが所定レベル以上であると判断された場合には，第６４段階に進み，モデムに異常がないと決定する（第６４段階）。一方，受信端子に受信されたトーン信号のレベルが所定レベルより低いと判断された場合には，第５８段階に進み，モデムに異常があると決定する（第５８段階）。
【００６４】
（第５実施例）
次に，本実施形態にかかる第１２段階の第５の実施例について説明する。この第５の実施例にかかる第１２段階は，図３に示した上記第１実施例とは異なり，上記第５４段階を含んでいないが，その他の段階は図３の例と略同一である。
【００６５】
より詳細には，この第５実施例にかかる第１２段階では，上記第５２段階後に第５６段階に進み，送出されたトーン信号の周波数と受信されたトーン信号の周波数とが同一か否かを判断する（第５６段階）。この第５６段階において，送出されたトーン信号の周波数と受信されたトーン信号の周波数とが同一で有ると判断された場合には，第６２段階に進み，メモリレジスターに異常があるか否かを判断し（第６２段階），異常がないと判断された場合には，第６４段階に進む。
【００６６】
なお，この第５の実施例では，第６２段階を第５６段階より先に行ってもよい。すなわち，上記第５２段階後に第６２段階に進み，メモリレジスターに異常があるか否かを判断する（第６２段階）。この第６２段階で，メモリレジスターに異常がないと判断された場合には，第５６段階に進み，送出されたトーン信号の周波数が受信されたトーン信号の周波数と同一か否かを判断する（第５６段階）。この第５６段階で，送出されたトーン信号の周波数と受信されたトーン信号の周波数とが同一であると判断された場合には，第６４段階に進み，モデムに異常がないと決定する（第６４段階）。
【００６７】
（第６実施例）
次に，本実施形態にかかる第１２段階の第６の実施例について説明する。この第６の実施例にかかる第１２段階は，図３に示した上記第１実施例とは異なり，上記第５６段階を含んでいないが，その他の段階は図３の例と略同一である。
【００６８】
より詳細には，この第６実施例にかかる第１２段階では，上記第５４段階において，受信端子によって受信されたトーン信号のレベルが所定レベル以上であると判断された場合には，第６２段階に進み，メモリレジスターに異常があるか否かを判断する（第６２段階）。
【００６９】
なお，この第６の実施例では，第６２段階を第５４段階より先に行ってもよい。すなわち，第５２段階後に第６２段階に進み，メモリレジスターに異常があるか否かを判断する（第６２段階）。この第６２段階において，メモリレジスターに異常がないと判断された場合には，第５４段階に進み，受信端子によって受信されたトーン信号のレベルが所定レベル以上であるか否かを判断する（第５４段階）。この第５４段階において，受信端子によって受信されたトーン信号のレベルが所定レベル以上であると判断されれば，第６４段階に進み，モデムに異常がないと決定する（第６４段階）。一方，第５４段階において，受信端子によって受信されたトーン信号のレベルが所定レベル未満であると判断された場合には，第５８段階に進み，モデムに異常があると決定する（第５８段階）。
【００７０】
（第７実施例）
次に，本実施形態にかかる第１２段階の第７の実施例について説明する。この第７の実施例にかかる第１２段階は，図３に示した上記第１実施例とは異なり，上記第５４段階および第５６段階を含んでいないが，その他の段階は図３の例と略同一である。
【００７１】
より詳細には，この第７実施例にかかる第１２段階では，上記第５２段階後に第６２段階に進み，メモリレジスターに異常があるか否かを判断する（第６２段階）。この第６２段階において，メモリレジスターに異常がないと判断された場合には，第６４段階に進み，モデムに異常がないと決定する（第６４段階）。しかし，メモリレジスターに異常があると判断された場合には，第５８段階に進み，モデムに異常があると決定する（第５８段階）。
【００７２】
以上，本実施形態にかかる第１２段階の第１〜第７実施例について説明した。しかし，本発明にかかる第１２段階は，上記実施例１〜７の例に限定されるものではない。例えば，本発明にかかる第１２段階は，図３に示した第６０及び第６６段階のうち少なくともいずれか一方の段階を含まないようにもできる。具体的には，例えば，モデムに異常があった場合にのみ通知したり，或いは，モデムに異常がなかった場合にのみ通知したり，するようにしてもよい。
【００７３】
また，本発明にかかるファクシミリの自己診断方法は，図１に示したような第１０段階だけを行うか，或いは，第１２段階だけを行うようにしてもよい。また，本発明にかかるファクシミリの自己診断方法は，図１に示したように第１０段階後に第１２段階を行ってもよいし，また，図１に示した順序とは異なり，第１２段階後に第１０段階を行ったり，或いは第１０段階と第１２段階とを同時に行ったりしてもよい。
【００７４】
次に，図４に基づいて，上記説明したようなファクシミリの自己診断方法を行うファクシミリ装置の構成および動作について説明する。なお，図４は，本実施形態にかかるファクシミリの自己診断方法を行うファクシミリの構成の一部を示すブロックである。
【００７５】
図４に示すように，ファクシミリは，例えば，発信音検出部８０，トーン信号受信部８２，第１異常有無決定部８４，第２異常有無決定部８６およびトーン信号発生部８８を有するモデム９０と，メモリレジスター検査部９２と，アラーム部９４と，から構成される。
【００７６】
かかるファクシミリの発信音検出部８０は，交換機で発生した発信音が，入力端子ＩＮ１を通じて入力されたか否かを検出し，検出した結果を第１異常有無決定部８４に出力する。かかる発信音検出部８０は，上記ファクシミリの自己診断方法の第３２段階を実行することができる。
【００７７】
行う第１異常有無決定部８４は，発信音検出部８０で検出された結果に応じて，交信経路の異常有無を決定し，決定した結果をアラーム部９４に出力することができる。これにより，この第１異常有無決定部８４は，例えば，上記ファクシミリの自己診断方法の第３４段階および第３８段階を実行することができる。より詳細には，第１異常有無決定部８４は，発信音検出部８０の検出結果に基づいて，発信音が検出されたと認識した場合には，第３８段階を行うために，交信経路に異常がないと決定する。一方，発信音が検出されなかったと認識した場合には，第１異常有無決定部８４は，第３４段階を行うために，交信経路に異常があると決定する。
【００７８】
アラーム部９４は，本実施形態にかかる通知部として構成されており，上記第１異常有無決定部８４で決定された結果に応じて，交信経路の異常有無を出力端子ＯＵＴ１を通じて外部に通知（例えばアラーム音声を発音するなど）する機能を有する。これにより，このアラーム部９４は，例えば，上記ファクシミリの自己診断方法の第３６段階及び第４０段階を実行することができる。より詳細には，例えば，アラーム部９４は，第１異常有無決定部８４で交信経路に異常があると決定された場合には，第３６段階を行うために，交信経路に異常があることを，出力端子ＯＵＴ１を通じて通知する。一方，第１異常有無決定部８４で交信経路に異常がないと決定された場合には，アラーム部９４は，第４０段階を行うために，交信経路に異常がないことを，出力端子ＯＵＴ１を通じて通知する。
【００７９】
トーン信号発生部８８は，診断用トーン信号（以下，「トーン信号」という場合もある。）を自発的に生成して，出力端子ＯＵＴ２を介して送出（送信，発信）することができる。これにより，トーン信号発生部８８は，例えば，上記ファクシミリの自己診断方法の第５０段階を実行することができる。このとき，トーン信号発生部８８によって送出されたトーン信号がトーン信号受信部８２によって受信されるように，すなわち，第５２段階を行うために，トーン信号発生部８８とトーン信号受信部８２との間に帰還経路（フィードバック　パス）が形成される。
【００８０】
トーン信号受信部８２および第２異常有無決定部８６は，第５４，第５６及び第５８段階のうち少なくとも一つの段階を行う機能を有する。即ち，トーン信号受信部８２は，トーン信号発生部８８によって発生・送出されて帰還してきた診断用トーン信号を，入力端子ＩＮ２を介して受信し，受信したトーン信号を第２異常有無決定部８６に出力する。また，第２異常有無決定部８６には，このトーン信号受信部８２から，受信されたトーン信号（以下，「受信トーン信号」という。）が入力されるとともに，トーン信号発生部８８から，当該トーン信号発生部８８が送出したトーン信号（以下，「送出トーン信号」という。）が入力される。第２異常有無決定部８６は，この受信トーン信号および送出トーン信号に基づいて，モデムの異常有無を決定し，決定した結果をアラーム部９４に出力する。
【００８１】
ここで，図５に基づいて，第２異常有無決定部８６について詳細に説明する。なお，図５は，図４に示した第２異常有無決定部８６の構成例を示すブロック図である。
【００８２】
図５に示すように，第２異常有無決定部８６は，例えば，第１比較部１１０と，第２比較部１１２と，異常有無決定器１１４とから構成される。
【００８３】
この第２異常有無決定部８６は，例えば，上記ファクシミリの自己診断方法の第１２段階の第１または第３実施例を行うことができる。
【００８４】
例えば，図５に示した第２異常有無決定部８６の第１比較部１１０は，上記第５６段階を行うために，トーン信号受信部８２から入力端子ＩＮ３を介して入力された受信トーン信号の周波数と，トーン信号発生部８８から入力端子ＩＮ４を介して入力された送出トーン信号の周波数とを比較し，比較した結果を第１制御信号Ｃ１として第２比較部１１２および異常有無決定器１１４に出力する。
【００８５】
第２比較部１１２は，第５４段階を行うために，例えば，第１比較部１１０からの第１制御信号Ｃ１の入力に応じて，入力端子ＩＮ３を介して入力された受信トーン信号のレベルと，所定レベルとを比較し，比較した結果を第２制御信号Ｃ２として異常有無決定器１１４に出力する。例えば，第２比較部１１２は，第１制御信号Ｃ１によって受信トーン信号の周波数が送出トーン信号の周波数と同一であると認識された場合に，受信トーン信号のレベルと所定レベルとを比較することができる。
【００８６】
異常有無決定器１１４は，第５８及び第６４段階を行うために，第１比較部１１０から入力された第１制御信号Ｃ１又は第２比較部１１２から入力された第２制御信号Ｃ２に基づいて，モデムの異常有無を決定し，決定した結果を，出力端子ＯＵＴ３を介して出力する。例えば，異常有無決定器１１４は，第１比較部１１０から入力された第１制御信号Ｃ１に基づいて，送出トーン信号の周波数と受信トーン信号の周波数とが同一でないと認識した場合には，モデムに異常があると決定する。また，異常有無決定器１１４は，例えば，第２比較部１１２から入力した第２制御信号Ｃ２に基づいて，受信トーン信号のレベルが所定レベルより低いと認識した場合には，モデムに異常があると決定する。
【００８７】
また，第２異常有無決定部８６は，上記第１２段階の第２または第５実施例を行うためには，図５に示した構成要素のうち，例えば，第１比較部１１０および異常有無決定器１１４だけを備えればよい。かかる構成の第２異常有無決定部８６においては，異常有無決定器１１４は，第１比較部１１０から入力された第１制御信号Ｃ１に基づいて，送出トーン信号の周波数と受信トーン信号の周波数とが同一でないと認識したときに，モデムに異常があると決定する。
【００８８】
また，第２異常有無決定部８６は，上記第１２段階の第４または第６実施例を行うためには，図５に示した構成要素のうち，例えば，第２比較部１１２および異常有無決定器１１４だけを備えればよい。かかる構成の第２異常有無決定部８６においては，異常有無決定器１１４は，第２比較部１１２から入力された第２制御信号Ｃ２に基づいて，受信トーン信号のレベルが所定レベルより低いと認識したときには，モデムに異常があると決定し，決定した結果を，出力端子ＯＵＴ３を通じて出力する。
【００８９】
このようにして第２異常有無決定部８６によってモデムの意匠の有無が決定された後，その結果はアラーム部９４に入力される。アラーム部９４は，この第２異常有無決定部８６で決定された結果に応じて，モデムの異常有無を出力端子ＯＵＴ１を通じて外部に通知する機能を有する。これにより，アラーム部９４は，例えば，上記ファクシミリの自己診断方法の第６０段階及び第６６段階を実行することができる。より詳細には，例えば，アラーム部９４は，第２異常有無決定部８６でモデムに異常があると決定された場合には，第６０段階を行うために，モデムに異常があることを出力端子ＯＵＴ１を通じて通知する。一方，第２異常有無決定部８６でモデムに異常がないと決定された場合には，第６６段階を行うために，モデムに異常がないことを出力端子ＯＵＴ１を通じて通知する。
【００９０】
また，図４に示すメモリレジスター検査部９２は，例えば，メモリレジスターに異常があるか否かを検出し，検出結果を第２異常有無決定部８６に出力する。これにより，このメモリレジスター検査部９２は，例えば，上記ファクシミリの自己診断方法の第１２段階のうちの第６２段階を実行することができる。
【００９１】
具体的には，上記第１２段階の第１実施例または第５実施例を行う場合，メモリレジスター検査部９２は，例えば，図５に示した第１比較部１１０からの第１制御信号Ｃ１の入力に応じて，メモリレジスターに異常があるか否かを検査する。例えば，メモリレジスター検査部９２は，第１比較部１１０から入力された第１制御信号Ｃ１に基づいて，送出トーン信号の周波数と受信トーン信号の周波数とが同一であると認識した場合，メモリレジスターに異常があるか否かを検査する。
【００９２】
また，上記第１２段階の第６実施例を行う場合，メモリレジスター検査部９２は，図５に示した第２比較部１１２からの第２制御信号Ｃ２の入力に応じて，メモリレジスターに異常があるか否かを検査する。例えば，メモリレジスター検査部９２は，第２比較部１１２から入力された第２制御信号Ｃ２に基づいて，受信トーン信号のレベルが所定レベル以上であると認識した場合，メモリレジスターに異常があるか否かを検査する。
【００９３】
このとき，第２異常有無決定部８６の異常有無決定器１１４は，例えば，メモリレジスター検査部９２による検出結果に応答して，モデムの異常有無を決定し，決定結果を，出力端子ＯＵＴ３を介して出力する。例えば，異常有無決定器１１４は，メモリレジスター検査部９２での検査結果に基づいてメモリレジスターに異常があると認識した場合には，モデムの異常があると決定し，決定結果を出力端子ＯＵＴ３を通じて出力することができる。
【００９４】
また，本実施形態にかかるファクシミリでは，図４に示したように，モデム９０には，例えば，メモリレジスター検査部９２及びアラーム部９４が含まれていない。しかし，かかる例に限定されず，図４に示した構成例とは異なり，メモリレジスター検査部９２及び／又はアラーム部９４が，モデム９０に含まれるように構成してもよい。
【００９５】
図６は，本実施形態にかかる図４に示したファクシミリの適用例を示すブロック図である。図６に示すように，ファクシミリは，例えば，ＬＩＵ（ラインインターフェース部）１３０と，モデム９０とから構成される。
【００９６】
図６に示すように，ＬＩＵ１３０は，例えば，リレー１７０と，変圧器１７２と，ツェナーダイオードＺ１，Ｚ２と，キャパシタＣ１，Ｃ２と，抵抗Ｒ１，Ｒ２と，第１増幅器１７４と，第２増幅器１７６と，音声部１８０と，直流（ＤＣ）フィーディング部１８２とから構成される。
【００９７】
音声部１８０は，例えば電話機に相当する。また，ＤＣフィーディング部１８２は，図６に示したファクシミリがラインを使用しているか否かを交換機に知らせる機能を有する。換言すると，このＤＣフィーディング部１８２は，ラインが接続されているか否かに応じてファクシミリの電流を制御し，これにより，交換機はラインの使用状況を認知することができる。ここで，上述したリレー１７０は，ラインとモデム９０とを接続する，或いは，ラインと音声部１８０とを接続する。変圧器１７２は，外部の交換機とモデム９０との間で信号を伝達する機能を有する。
【００９８】
ツェナーダイオードＺ１及びＺ２は，図６に示したファクシミリを過電圧から保護する機能を有する。抵抗Ｒ１，Ｒ２およびキャパシタＣ１，Ｃ２は，インピーダンスマッチング用として用いられる。ここで，第１増幅器（または，第１フィルター）１７４は，モデム９０と接続されており，モデム９０の送信端子Ｔｘから出力された信号を，増幅（またはフィルタリング）する機能を有する。また，第２増幅器（または，第２フィルター）１７６は，増幅（またはフィルタリング）した結果を，モデム９０の受信端子Ｒｘに出力する機能を有する。
【００９９】
図１に示した第１０段階を行うために，図６に示したリレー１７０は，ラインとモデム９０とを接続する（図２の第３０段階）。この時，外部の交換機から発生した発信音が，ラインを経由した後，第１経路１５０を介して，モデム９０の受信端子Ｒｘに入力される。換言すると，第１経路１５０は，外部のラインからモデム９０の受信端子Ｒｘに信号を入力するための経路に該当し，第２経路１５２は，モデム９０の送信端子Ｔｘから出力された信号を，外部のラインに送出するための経路に該当する。また，図３の第５２段階を行うために，図６に示すように，帰還経路，すなわち，第３経路１５４が形成される。ここで，第１経路１５０，第２経路１５２及び第３経路１５４は，例えば，ファクシミリの内部マルチプレクサ（図示せず。），またはアナログスイッチ制御などによって形成される。
【０１００】
以上，添付図面を参照しながら本発明の好適な実施形態について説明したが，本発明はかかる例に限定されない。当業者であれば，特許請求の範囲に記載された技術的思想の範疇内において各種の変更例または修正例に想到し得ることは明らかであり，それらについても当然に本発明の技術的範囲に属するものと了解される。
【０１０１】
【発明の効果】
以上説明したように，本発明にかかるファクシミリの自己診断方法及びこの方法を行うファクシミリによれば，別途の外部測定器を設けたり，相手先と交信したりしなくとも，ファクシミリの外部通信環境の異常（例えば外部ラインの異常有無）や，ファクシミリ自体の異常の有無（例えばモデム自らの異常有無）を，自ら診断することができる。このため，相手先に対する不必要な呼出しを防止し，ファクシミリのアフターサービスを速かに提供できるので，維持コストを削減し，ユーザの満足度を高めることができる。
【図面の簡単な説明】
【図１】図１は，第１の実施形態にかかるファクシミリの自己診断方法を説明するためのフローチャートである。
【図２】図２は，図１に示した第１０段階の具体例を説明するためのフローチャートである。
【図３】図３は，図１に示した第１２段階の具体例を説明するためのフローチャートである。
【図４】図４は，本実施形態にかかるファクシミリの自己診断方法を行うファクシミリの構成の一部を示すブロックである。
【図５】図５は，図４に示した第２異常有無決定部の構成例を示すブロック図である。
【図６】図６は，図４に示したファクシミリの適用例を示すブロック図である。
【符号の説明】
８０　：　発信音検出部
８２　：　トーン信号受信部
８４　：　第１異常有無決定部
８６　：　第２異常有無決定部
８８　：　トーン信号発生部
９０　：　モデム
９２　：　メモリレジスター検査部
９４　：　アラーム部
１１０　：　第１比較部
１１２　：　第２比較部
１１４　：　異常有無決定器
１３０　：　ラインインターフェース部（ＬＩＵ）
【図１】
2004015811.tif 000003
【図２】
2004015811.tif 000004
【図３】
2004015811.tif 000005
【図４】
2004015811.tif 000006
【図５】
2004015811.tif 000007
【図６】
2004015811.tif 000008